(57)【要約】【課題】  携帯電子媒体の利用方法を習熟させ、携帯電子媒体の利用効率の向上を図ることができる電源タップを提供する。【解決手段】  電源タップ１は、電気機器等の電源プラグが差し込まれるプラグ差込部１０を有するとともに、このプラグ差込部１０に差し込まれた電源プラグへ電源を供給する構成である。この電源タップ１は、プラグ差込部１０への電源供給をＯＮ／ＯＦＦするスイッチ手段１３と、携帯型電子媒体２に内蔵されたＩＣチップ２０との間で非接触にてデータ通信が可能なデータ通信用インタフェース１１と、データ通信用インタフェース１１を介してＩＣチップ２０との間でデータ通信を実行するとともに、スイッチ手段１３を切り替え制御する中央処理部１２とを備えている。また、中央処理部１２は、あらかじめ設定されている正常なデータ通信をＩＣチップ２０との間で実行したことを条件に、スイッチ手段１３をＯＮに切り替えてプラグ差込部１０へ電源を供給する構成である。【選択図】      図４
2008158937.tif 000002
【特許請求の範囲】
【請求項１】
電気機器等の電源プラグが差し込まれるプラグ差込部を有するとともに、当該プラグ差込部に差し込まれた電源プラグへ電源を供給する電源タップにおいて、
前記プラグ差込部への電源供給をＯＮ／ＯＦＦするスイッチ手段と、
携帯型電子媒体に内蔵されたＩＣチップとの間で非接触にてデータ通信が可能なデータ通信用インタフェースと、
前記データ通信用インタフェースを介して前記ＩＣチップとの間でデータ通信を実行するとともに、前記スイッチ手段を切り替え制御する中央処理部とを備え、
前記中央処理部は、あらかじめ設定されている正常なデータ通信を前記ＩＣチップとの間で実行したことを条件に、前記スイッチ手段をＯＮに切り替えて前記プラグ差込部へ電源を供給することを特徴とする電源タップ。
【請求項２】
前記中央処理部には、前記ＩＣチップとの間で電子マネーによる決済を実行するためのデータ通信が、前記正常なデータ通信としてあらかじめ設定されていることを特徴とする請求項１の電源タップ。
【請求項３】
前記中央処理部は、前記スイッチ手段をＯＮに切り替えた後、あらかじめ設定してある時間が経過したとき、前記スイッチ手段をＯＦＦに切り替えて前記プラグ差込部への電源供給を停止させることを特徴とする請求項１又は２の電源タップ。
【請求項４】
請求項１乃至３のいずれか一項に記載の電源タップを利用して前記携帯電子媒体である携帯電話に各種情報を提供する携帯電話サービスシステムであって、
前記電源タップは、外部のサーバにアクセスするための通信手段を更に有し、
前記携帯電話が搭載するＩＣチップと、前記電源タップの前記データ通信用インタフェースとの間で前記あらかじめ設定されている正常なデータ通信が実行されたとき、
前記電源タップは、当該データ通信が実行された携帯電話へのアクセス情報を当該携帯電話から入手するとともに、当該アクセス情報を前記外部のサーバへ送信し、
前記外部のサーバは、前記アクセス情報に基づき前記携帯電話を特定し、当該携帯電話へ所定の情報を送信する、構成を備えたことを特徴とする携帯電話サービスシステム。
【請求項５】
前記外部のサーバから携帯電話に送信される所定の情報は、前記携帯電話にあらかじめ組み込まれているアプリケーションソフトを起動させるアプリケーション起動プログラムを含むことを特徴とする請求項４の携帯電話サービスシステム。
【請求項６】
前記外部のサーバから携帯電話に送信される所定の情報は、前記アプリケーション起動プログラムによって起動されるアプリケーションソフトに出力される情報を含むことを特徴とする請求項５の携帯電話サービスシステム。
【請求項７】
請求項１乃至３のいずれか一項に記載の電源タップを利用して前記携帯電子媒体である携帯電話に各種情報を提供する携帯電話サービスシステムであって、
前記電源タップは、外部のサーバにアクセスするための通信手段と、外部のサーバから受信した情報を保存する記憶手段とを更に有し、
前記携帯電話が搭載するＩＣチップと、前記電源タップの前記データ通信用インタフェースとの間で前記あらかじめ設定されている正常なデータ通信が実行されたとき、
前記電源タップは、当該携帯電話へ前記記憶手段に保存してある所定の情報を送信する、構成を備えたことを特徴とする携帯電話サービスシステム。
【請求項８】
前記携帯電話に送信される所定の情報は、前記携帯電話にあらかじめ設定されているアプリケーションソフトを起動させるアプリケーション起動プログラムを含むことを特徴とする請求項７の携帯電話サービスシステム。
【請求項９】
前記携帯電話に送信される所定の情報は、前記アプリケーション起動プログラムによって起動されるアプリケーションソフトに出力される情報を含むことを特徴とする請求項８の携帯電話サービスシステム。
【発明の詳細な説明】
【技術分野】
【０００１】
この発明は、電気機器等に電源を供給する電源タップ、及び当該電源タップと携帯電話の通信機能を利用した携帯電話サービスシステムに関する。
【背景技術】
【０００２】
近年、ノート型パソコンや携帯電話、小型ゲーム機などの携帯端末機器の普及により、これらの端末機器をユーザが外出先で利用する機会が増えている。このような端末機器の利用の増加にともなって、外出先でも充電可能なサービスの提供が望まれているが、現状ではこのようなサービスを実施しているところは少ない。
【０００３】
一方、最近では携帯電話やＩＣカードのように非接触によるＩＣチップが備えられた携帯型電子媒体を所持して外出することも多くなった。携帯型電子媒体は、ユーザの個人情報を管理し、種々の電子情報サービスに利用される。例えば、ユーザは、電子マネー情報が管理された非接触ＩＣカードを専用のリーダライタ装置に近接させて、商品の代金を電子マネーにより支払うことができる。
【０００４】
さらに、ＩＣチップを搭載した携帯電話などでは、電子マネー情報の他にも様々な情報のやりとりが可能である。このようなＩＣチップを利用した携帯電話のシステムとしては特許文献１に開示された構成などがあげられる。特許文献１の装置は、携帯端末が備えるＩＣチップとの間で無線通信を行うリーダ／ライタを設け、コンテンツのデータにさらに携帯端末に送信する送信対象情報と携帯端末への送信対象情報の送信を指示する送信制御情報を埋め込み、リーダ／ライタを介して無線通信により携帯端末へ送信するようにしている。このような携帯型電子媒体による情報のやりとりは、今後ますます発展することが期待されている。
【０００５】
しかしながら、例えば、電子マネーによる料金の支払いの場合、複数のサービス管理会社による競合状態にあり、ユーザは利用場所に応じて使い分けなければならない。したがって、ユーザは電子マネーによる代金の支払いに戸惑うことが多く、スムーズな利用がなされていないのが現状である。一方、電子マネーの利用店舗側も、電子マネーの利用方法をユーザに説明しなければならない場合が多くあり、レジ業務の効率化に支障をきたすことにもなっていた。
したがって、携帯型電子媒体による情報のやりとりの方法をユーザが覚え、積極的に携帯型電子媒体を活用することが望まれていた。
【特許文献１】特開２００６−８５６６９２号公報
【発明の開示】
【発明が解決しようとする課題】
【０００６】
本発明は、このような実情に鑑みてなされたもので、携帯電子媒体の利用方法を習熟させ、携帯電子媒体の利用効率の向上を図ることができる電源タップの提供を目的とする。
さらに、本発明は、当該電源タップを利用して携帯電子媒体へ各種の情報を提供できる携帯電話サービスシステムの提供を目的とする。
【課題を解決するための手段】
【０００７】
上記目的を達成するために、本発明は、電気機器等の電源プラグが差し込まれるプラグ差込部を有するとともに、当該プラグ差込部に差し込まれた電源プラグへ電源を供給する電源タップにおいて、
プラグ差込部への電源供給をＯＮ／ＯＦＦするスイッチ手段と、
携帯型電子媒体に内蔵されたＩＣチップとの間で非接触にてデータ通信が可能なデータ通信用インタフェースと、
データ通信用インタフェースを介してＩＣチップとの間でデータ通信を実行するとともに、スイッチ手段を切り替え制御する中央処理部とを備え、
中央処理部は、あらかじめ設定されている正常なデータ通信をＩＣチップとの間で実行したことを条件に、スイッチ手段をＯＮに切り替えてプラグ差込部へ電源を供給することを特徴とする。
【０００８】
かかる構成によれば、携帯型電子媒体をデータ通信用インタフェース近接させることで、電源タップのプラグ差込部に電源が供給される。これにより、ユーザが所持する電気機器への電源供給が必要に応じて可能になる。また、この電源タップを用いて携帯電子媒体の利用方法を学ぶことができ、携帯電子媒体の利用効率の向上を図ることができる。
【０００９】
ここで、中央処理部には、ＩＣチップとの間で電子マネーによる決済を実行するためのデータ通信が、正常なデータ通信としてあらかじめ設定することができる。これにより、携帯電子媒体を用いた電子マネー決済の利用方法を習熟することが可能となる。
【００１０】
中央処理部は、スイッチ手段をＯＮに切り替えた後、あらかじめ設定してある時間が経過したとき、スイッチ手段をＯＦＦに切り替えてプラグ差込部への電源供給を停止させる構成とすることが好ましい。
【００１１】
また、本発明は、上記電源タップを利用して携帯電子媒体である携帯電話に各種情報を提供する携帯電話サービスシステムであって、
電源タップは、外部のサーバにアクセスするための通信手段を有し、
携帯電話が搭載するＩＣチップと、電源タップのデータ通信用インタフェースとの間であらかじめ設定されている正常なデータ通信が実行されたとき、
電源タップは、当該データ通信が実行された携帯電話へのアクセス情報を当該携帯電話から入手するとともに、当該アクセス情報を外部のサーバへ送信し、
外部のサーバは、アクセス情報に基づき携帯電話を特定し、当該携帯電話へ所定の情報を送信する、構成を備えたことを特徴とする。
【００１２】
また、本発明は、電源タップを利用して携帯電子媒体である携帯電話に各種情報を提供する携帯電話サービスシステムであって、
電源タップは、外部のサーバにアクセスするための通信手段と、外部のサーバから受信した情報を保存する記憶手段とを更に有し、
携帯電話が搭載するＩＣチップと、電源タップのデータ通信用インタフェースとの間であらかじめ設定されている正常なデータ通信が実行されたとき、
電源タップは、当該携帯電話へ記憶手段に保存してある所定の情報を送信する、構成を備えたことを特徴とする。
【００１３】
ここで、携帯電話に送信される所定の情報は、携帯電話にあらかじめ組み込まれているアプリケーションソフトを起動させるアプリケーション起動プログラムを含み、さらに、このアプリケーション起動プログラムによって起動されるアプリケーションソフトに出力される情報を含むことが好ましい。
これにより、電源タップとの間で所定のデータ通信が実行された携帯電話に対し、携帯アプリケーションソフトを利用した各種サービスや情報の提供を行うことが可能となる。
【発明の効果】
【００１４】
以上説明したように、本発明によれば、電源タップを用いて携帯電子媒体の利用方法を習熟させ、携帯電子媒体の利用効率の向上を図ることができる。さらに、電源タップとの間でデータ通信が実行された携帯電話に対し、各種のサービスや情報を提供することが可能となる。
【発明を実施するための最良の形態】
【００１５】
以下、この発明の実施の形態について図面を参照して詳細に説明する。
〔第１の実施形態〕
図１乃至図５は、本発明の第１の実施形態に係る電源タップの構成を示す図であり、図１は、電源タップの外観を示す斜視図である。
図１に示すように、第１の実施形態の電源タップ１は、電気機器等の電源プラグが差し込まれるプラグ差込部１０を有する。電源タップ１は、外部電源１００に自身のプラグを差し込み導通することで、プラグ差込部１０に差し込まれた電気機器の電源プラグへ電源を供給する構成である。
【００１６】
図２は、電源タップの内部構造を示すブロック図であり、図３は、同電源タップのデータ通信用インタフェースを示すブロック図である。
図２に示すように、電源タップ１は、プラグ差込部１０の他に、データ通信用インタフェース１１、中央処理部１２、スイッチ手段１３、タイマー１４、ランプ１５、スピーカ１６、メモリ１７（記憶手段）を備えている。このうち、ランプ１５、スピーカ１６、データ通信用インタフェース１１のリーダライタ部１１１は、プラグ差込部１０の差込口とともに電源タップ１の外面に露出している（図１参照）。
【００１７】
図３に示すように、電源タップ１のデータ通信用インタフェース１１は、リーダライタ部１１１、受信回路１１２、送信回路１１３、搬送波生成部１１４、電力増幅部１１５等の構成要素を備えている。データ通信用インタフェース１１のリーダライタ部１１１は、コイル１１１ａとコンデンサ１１１ｂを並列に接続した共振回路であり、このリーダライタ部１１１の出力端子に受信回路１１２が接続されている。また、リーダライタ部１１１は、携帯型電子媒体２に内蔵されたＩＣチップ２０に対しコイル１１１ａが共振することで、非接触でＩＣチップ２０のデータを受信する。
【００１８】
データ通信用インタフェース１１の受信回路１１２は、内部に図示しない復調部やデジタル信号処理部等を備えている。この受信回路１１２は、リーダライタ部１１１によって受信された変調信号を復調部によって検出して復調し、さらにデジタル信号処理部において情報に復元して中央処理部１２へ供給する。また、データ通信用インタフェース１１は、通常時に搬送波生成部１１４から生成された搬送波が電力増幅部１１５で増幅されてリーダライタ部１１１に送られ、このリーダライタ部１１１から電波を発信させている。
【００１９】
中央処理部１２は、データ通信用インタフェース１１から供給した情報を元に各種情報処理を行う。この中央処理部１２の処理動作については後述する。また、中央処理部１２には、電源タップ１のスイッチ手段１３、タイマー１４、ランプ１５、スピーカ１６がそれぞれ接続されており、中央処理部１２からの命令によってそれら各部が制御される構成である。
【００２０】
スイッチ手段１３は、外部電源１００からプラグ差込部１０までの導電経路の中間部に介在してあり、スイッチをＯＮ／ＯＦＦすることで、プラグ差込部１０への電源供給の開始／停止を切り替える機能を有している。このこのスイッチ手段１３の切り替え制御は、中央処理部１２によって行われる。
【００２１】
また、タイマー１４は、中央処理部１２がスイッチ手段１３をＯＮに切り替えた後、時間を計測し始める。そして、あらかじめ設定してある時間が経過したとき、タイマー１４から中央処理部１２に信号が送られ、この信号に基づき中央処理部１２がスイッチ手段１３をＯＦＦに切り替え、プラグ差込部１０への電源供給を停止させる構成となっている。
【００２２】
図４は、第１の実施形態に係る電源タップと携帯型電子媒体の関係を示すブロック図である。
本実施形態の携帯型電子媒体２は、非接触でデータ通信が可能なＩＣチップ２０を搭載した携帯電話２である。しかしながら、携帯型電子媒体２は、携帯電話に限定されるものではなく、ＩＣチップ２０を搭載する種々の形態のもの（例えば、ＩＣカードやＩＣタグ）を含んでいる。
【００２３】
図４に示すように、携帯電話２は、携帯電話２としての一般的な機能であるアンテナ部２１、音声部２２、入力部２３、表示部２４、電源部２５、制御部２６、記憶部２７などの構成要素を備えている。ＩＣチップ２０は、携帯電話２の制御部２６に接続されるとともに、送受信面（図示せず）が携帯電話２筐体表面に露出して設けられている。携帯電話２は、このＩＣチップ２０の送受信面をデータ通信インタフェース１１のリーダライタ部１１１に近接させて、データを送受信することができる。
【００２４】
本実施形態では、電源タップ１と携帯電話２との間で、電子マネーによる決済を実行するためのデータ通信を模擬的に実行できる構成としてある。電子マネーによる決済システムは、種々の提供事業者が独自規格に基づきサービスを提供しているが、本実施形態ではＦｅｌｉＣａ（ソニー株式会社：商標名）システムに基づくデータ通信を例にとって以下の説明を進めていく。ただし、これに限定されるものではないことは勿論である。
ここで、ＦｅｌｉＣａシステムについて簡単に説明すると、ＩＣチップ２０は、電源タップ１のデータ通信インタフェース１１から発信される電波から電力を受け取って駆動する方式である。この電波は、ＮＦＣ（Near Field Communication）通信仕様により、周波数帯域１３．５６ＭＨｚ帯でデータ通信され、１０ｃｍ程度の近距離で１００〜４００ｋｂｐｓの双方向通信を可能としている。
【００２５】
ＦｅｌｉＣａシステムは、偽造・変造がしにくいようセキュリティ機構も備えており、例えば、Ｅｄｙ（株式会社ソニーファイナンスインターナショナル：商標名）、ｓｕｉｃａ（東日本旅客鉄道株式会社：商標名）などに利用されている。これにより、携帯電話２表面の送受信面をデータ通信インタフェース１１にかざすだけで料金精算などのデータのやりとりが可能である。
【００２６】
また、携帯電話２の電源部２５は、充電式の電池で構成されている。この電源部２５に繋がる電源端子２５ｂに電源アダプタ２５ａを接続するとともに、当該電源アダプタ２５ａの電源プラグを電源タップ１のプラグ差込部１０へ差し込むことで、電源部２５が充電される。
すなわち、電源アダプタ２５ａを介して携帯電話２の電源部２５を電源タップ１のプラグ差込部１０へ差し込み、電源タップ１のリーダライタ部１１１に携帯電話２のＩＣチップ２０（送受信面）を近接させ、適正なデータ通信を実行できれば、電源タップ１のスイッチ手段１３がＯＮになり、携帯電話２に電源が供給させる。なお、電源供給の対象は携帯電話２に限らず、他の電気機器（例えば、ノートパソコン）であってもよい。
【００２７】
次に本実施形態の電源タップ１の作用について説明する。
図５は、本実施形態に係る電源タップの作用を示すフローチャートである。
電源タップ１のプラグが外部電源１００に接続した状態では、通常、データ通信用インタフェース１１のリーダライタ部１１１から微弱な電波が発信されている（ステップＳ１０）。
【００２８】
このリーダライタ部１１１にＩＣチップ２０を搭載した携帯電話２を近接させると、リーダライタ部１１１から発信された電波をＩＣチップ２０が感知する。これにより、リーダライタ部１１１が、携帯電話２のＩＣチップ２０から必要な情報の読み取りを開始し（ステップＳ１１）、リーダライタ部１１１により読み取った通信データを中央処理部１２に送る（ステップＳ１２）。
【００２９】
中央処理部１２は、送られてきた通信データが、所定の電子マネーサービスを利用するための適正データ（すなわち、電源タップ１を利用可能なデータ）か否かを判別する（ステップＳ１３）。そして、電源タップ１を利用可能なデータでない場合は、ステップＳ１４へ進み、利用可能なデータと判別した場合はステップＳ１５へ進む。
なお、電源タップ１のメモリ１７にあらかじめ複数の電子マネーシステムとの間の適正なデータ通信に関する情報をインプットしておき、ユーザが利用している電子マネーシステムを任意に選択し、当該選択した電子マネーシステムに対応して上記適正データか否かを中央処理部１２が判別する構成としてもよい。この場合、電源タップ１には、電子マネーシステムの選択スイッチを設けておく。
【００３０】
ステップＳ１４では、ＩＣチップ２０からの情報の読み取りを中止して、ＩＣチップ２０の情報が的デイデータと判別できなかったことをユーザに告知する。この告知は、例えば、スピーカ１６から発信音を流したり、ランプ１５を点灯させたりするなど種々の形態を採ることができる。
【００３１】
ステップＳ１３で、電源タップ１を利用可能なデータと判別した場合は、電源タップ１のスイッチ手段１３をＯＮに切り替え、外部電源１００からプラグ差込部１０を経由して携帯電話２の電源部２５に電源が供給される（ステップＳ１５）。このとき、電源の供給開始をユーザへ告知するために、スピーカ１６からステップＳ１４の発信音とは別の発信音を流し、ランプ１５を点灯させることが好ましい。さらに、中央処理部１２に接続されたタイマー１４によって、電源供給時間の計測を開始する（ステップＳ１６）。
【００３２】
プラグ差込部１０への電源供給中は、同じ携帯電話２が再度近接されたかを判別している（ステップＳ１７）。ここで、本実施形態の電源タップ１は、特に外出先での端末機器の充電を想定しているため、ユーザの意志によって電源供給が切り替えられることが好ましい。本実施形態では、ユーザが携帯電話２を再度近接させることによって、中央処理部１２がスイッチ手段１３をＯＦＦに切り替え、電源供給を停止する構成としている（ステップＳ１９）。一方、電源供給中に電源タップ１に携帯電話２が近接されない場合は、所定の時間が経過するまで電源の供給を続け（ステップＳ１８）、所定時間が経過した時点でスイッチ手段１３をＯＦＦに切り替えて、電源供給を停止する（ステップＳ１９）。なお、電源供給の停止とともに、ランプ１５の消灯し、スピーカ１６から発信音を流し、ユーザに電源供給を停止した旨の告知することが好ましい。
【００３３】
以上説明したように、ユーザは電源タップ１を利用して電子マネーシステムの利用に関する操作方法を習熟できるとともに、電源タップ１から携帯電話２等に電源の供給を受けることができる。この電源タップ１を設置する店舗にとっては、ユーザが電子マネーシステムの操作に慣れることで、レジカウンターでの精算処理が円滑化して営業効率を向上させることが期待できる。
【００３４】
〔第２の実施形態〕
図６および図７は、本発明の第２の実施形態に係る携帯電話サービスシステムを示す図であり、図６は、電源タップと携帯型電子媒体の関係を概略的に示すブロック図である。
なお、先に示した第１の実施形態と同一部分または相当する部分には同一符号を付し、その部分の詳細な説明は省略する。
【００３５】
本実施形態の電源タップ１は、外部のネットワーク３を介して電子マネーサービス提供事業者のサーバ３１へ、電力線搬送通信（PLC: Power Line Communications）の親機（ＰＬＣ親機）３ａを介してアクセスするためのＰＬＣ子機１９と通信部１８とを備えている。サーバ３１には、携帯電話２のアプリケーション起動プログラム３２とともに、当該アプリケーションソフトを通して携帯電話２にダウンロードさせるための付加サービス情報３３があらかじめ保存されている。付加サービス情報３３としては、各種コンテンツ（動画・音楽等）やサービスポイントの付与等がある。
【００３６】
電源タップ１の中央処理部１２は、データ通信用インタフェースにＩＣチップ２０を近づけてきた携帯電話２から、電子マネーサービスを利用するための適正データとともに、当該携帯電話２へアクセスするための認証情報を受信する。そして、この認証情報を通信部１８からサーバ３１へ向かって送信する。この時、通信部１８は、電源タップ１に内蔵されたＰＬＣ子機１９に信号を送り、外部電源１００の電源線を使って、店舗内に設置されたＰＬＣ親機３ａ（ネットワーク３に接続されている）と通信する。本実施形態の電源タップ１は、ＰＬＣ子機１９を内蔵しているので、例えば、電源タップ１を店舗内の各テーブルに設置する場合に、新たな通信ケーブルを各テーブルまで敷設する必要がない。
【００３７】
サーバ３１は、この電源タップ１から認証情報を受け取ると、ユーザの携帯電話２を特定し、アプリケーション起動プログラム３２及び付加サービス情報３３を当該携帯電話２へ配信する。アプリケーション起動プログラム３２は、付加サービス情報３３の種類によって、起動させるアプリケーションソフト３２が異なる。例えば、付加サービス情報３３が動画コンテンツであれば、動画再生用のアプリケーションソフトを起動させるプログラムを配信することになる。
携帯電話２は、アンテナ部２１によって、サーバ３１が配信した配信情報をネットワーク３から受信し、制御部２６によって適宜処理する構成である。
【００３８】
次に本実施形態の携帯電話サービスシステムの作用について説明する。
図７は、本実施形態に係る携帯電話サービスシステムの作用を示すフローチャートである。なお、同図のステップＳ１０乃至Ｓ１４までの処理は、図５に示した第１の実施形態と同様である。
ステップＳ１３において、携帯電話２からのデータが電子マネーサービスを利用するための適正データ（すなわち、電源タップ１を利用可能なデータ）であると中央処理部１２が判別すると、続いて当該携帯電話２へアクセスするための認証情報を携帯電話２のＩＣチップ２０から受信する（ステップＳ２０）。
【００３９】
中央処理部１２は、携帯電話２の認証情報にセキュリティコードを付与して暗号化情報を生成し、通信部１８からネットワーク３を介して、サーバ３１へ送信する（ステップＳ２１）。このときのネットワーク３へのアクセスは、ＰＬＣ子機１９及びＰＬＣ親機３ａを経由した電力線搬送通信をもって行われる。サーバ３１は、送信されてきた暗号化情報を受信し、ユーザの携帯電話２を特定する（ステップＳ２２）。さらに、ステップＳ２３では、あらかじめ設定してあるアプリケーション起動プログラム３２及び付加サービス情報３３を呼び出し、配信情報として特定した携帯電話２へ配信する（ステップＳ２３）。
【００４０】
ステップＳ２４では、携帯電話２がアンテナ部２１によって、配信情報を受信する。さらに、携帯電話２の制御部２６が、アプリケーション起動プログラム３２に基づき指定されたアプリケーションソフトを起動するとともに、そのアプリケーションソフトに付加サービス情報３３を出力する（ステップＳ２５）。
【００４１】
以上の処理フローによって、電子マネーサービス提供事業者３０は、ユーザに対し電子マネーサービスとともに種々のサービス情報を提供することができる。これにより、電子マネーサービスの利便性を向上させ、また電子マネーについてユーザにより興味をもたせることができる。
なお、本実施形態では、電力線搬送通信を利用してネットワーク３へアクセスしたが、電話回線等を利用した通常のインターネット通信によりネットワーク３へアクセスしてもよいことは勿論である。
【００４２】
〔第３の実施形態〕
図８および図９は、本発明の第３の実施形態に係る携帯電話サービスシステムを示す図であり、図８は、携帯電話サービスシステムを概略的に示すブロック図である。
図８に示すように、本実施形態の携帯電話サービスシステムでは、電源タップ１を設置する店舗３４の端末サーバ３５が、ネットワーク３に接続されている。この端末サーバ３５にはアプリケーション起動プログラム３２とともに、店舗３４のサービス内容等が店舗情報３６として保存されている。電源タップ１は、端末サーバ３５からネットワーク３を介してアプリケーション起動プログラム３２と店舗情報３６を受信し、内部に設けたメモリ１７に保存する構成となっている。なお、店舗３４の店舗情報としては、メニューの紹介、次回来店時の割引きデータ、イベントの告知など種々のものが考えられる。メモリ１７に保存してある店舗情報は、店舗３４の端末サーバ３５から任意に更新可能である。
【００４３】
携帯電話２のＩＣチップ２０が電源タップ１に近接された際には、中央処理部１２がアプリケーション起動プログラム３１と店舗情報３６をメモリ１７から呼び出し、データ通信用インタフェース１１の送信回路１１３に送信する（図３参照）。データ通信用インタフェース１１では、送信回路１１３が各情報を変調して変調信号として電力増幅部１１５に送り、搬送波とともにリーダライタ部１１１からデータ送出される。一方、携帯電話２のＩＣチップ２０は、このアプリケーション起動プログラム３２と店舗情報３６を受信し、制御部２６が処理して表示部２４に自動表示させる構成である。
【００４４】
次に、本実施形態に係る携帯電話サービスシステムの作用について説明する。
図９は、第３の実施形態に係る携帯電話サービスシステムの作用を示すフローチャートである。なお、同図のステップＳ１０乃至Ｓ１４までの処理は、図５に示した第１の実施形態と同様である。
ステップＳ１３において、携帯電話２からのデータが電子マネーサービスを利用するための適正データ（すなわち、電源タップ１を利用可能なデータ）であると中央処理部１２が判別すると、中央処理部２が電源タップ１のメモリ１７からアプリケーション起動プログラム３１と店舗情報３６を呼び出す（ステップＳ３０）。
【００４５】
さらに、データ通信用インタフェース１１にそれらの情報を送り、変調信号に変換してリーダライタ部１１１から搬送波とともに送出する（ステップＳ３１）。この送出されたデータは、携帯電話２のＩＣチップ２０によって受信される（ステップＳ３２）。そして、携帯電話では、制御部２６がアプリケーション起動プログラム３２を受けて指定されたアプリケーションソフトを起動し、表示部２４に店舗３４のサービス内容を表示する（ステップＳ３３）。
【００４６】
以上の処理フローによって、電源タップ１を設置する店舗３４側は、ユーザに対し店舗３４のサービス内容を提供することができる。
なお、本実施形態では、携帯電話２のＩＣチップ２０と、電源タップ１のデータ通信インタフェース１１との間で情報を送受信する構成としたが、店舗３４の店舗情報３６のデータ量が多い場合は、第２の実施形態と同様に、端末サーバ３５からネットワーク３を介して配信し、携帯電話２のアンテナ部２１で受信する構成としてもよい。
また、電力線搬送通信に代えて、電話回線等を利用した通常のインターネット通信によりネットワーク３へアクセスすることもできる。
【００４７】
〔第４の実施形態〕
図１０は、第４の実施形態に係る携帯電話サービスシステムを概略的に示すブロック図である。
図１０に示すように、本実施形態の携帯電話サービスシステムは、企業３７の広告を携帯電話２に配信するシステムである。ネットワーク３に接続されたサーバ３８には、企業３７の製品情報やＣＭ動画、近所にある店舗の紹介などの広告情報３９が保存されている。さらに、ネットワーク３には電源タップ１を設置した店舗の口座３４ａが接続されている。
【００４８】
携帯電話サービスシステムは、第２の実施形態と同様に、電源タップ１の中央処理部１２が、データ通信用インタフェース１１へ接近操作された携帯電話２の認証情報を読み取り、ネットワーク３を介してサーバ３８へ送信する。サーバ３８は、この認証情報からユーザの携帯電話２を特定し、アプリケーション起動プログラム３２と広告情報３９を当該携帯電話２へ配信する。このアプリケーション起動プログラム３２は、広告情報３９によって、起動させるアプリケーションソフトが異なる。携帯電話２は、アンテナ部２１によってサーバ３８が配信した広告情報３９をネットワーク３から受信し、制御部２６によって適宜処理され、広告情報３９を出力させる構成である。
【００４９】
また、サーバ３８は、配信した広告情報３９の回数と、店舗から携帯電話２への配信請求回数とをそれぞれ計測しており、例えば、月末に、広告情報３９の回数に応じた広告料を企業３７に対して請求し、この企業３７の支払いを配信請求回数に換算して各店舗の口座３４ａに振り込む構成である。
【００５０】
このように携帯電話サービスシステムは、電源タップ１を利用した携帯電話２に対して、企業３７の広告情報３９を携帯電話２に配信させることができる。また、ユーザは、携帯電話２に配信された企業３７の広告情報３９によって種々の情報を得ることができ、携帯電話２の活用範囲が広がる。一方、店舗へは、広告情報３９の配信請求回数に応じて広告料が振り込まれるため、電源タップ１を設置するメリットが大きくなる。
なお、本実施形態においても電力線搬送通信に代えて、電話回線等を利用した通常のインターネット通信によりネットワーク３へアクセスすることができる。
【００５１】
本発明は、上述した第１乃至第４の実施形態に限定されるものではなく、種々の変形例や応用例をもって構成することも可能である。例えば、電源タップ１のプラグ差込部１０が複数個ある場合は、ＩＣチップ２０の近接時に、スイッチ手段１３によって一箇所毎に電源供給を切り替える構成としてもよい。
【図面の簡単な説明】
【００５２】
【図１】第１の実施形態に係る電源タップの外観を示す斜視図である。
【図２】第１の実施形態に係る電源タップの内部構造を示す概略図である。
【図３】第１の実施形態に係る電源タップのデータ通信用インタフェースを示すブロック図である。
【図４】第１の実施形態に係る電源タップと携帯型電子媒体の関係を概略的に示すブロック図である。
【図５】第１の実施形態に係る電源タップの作用を示すフローチャートである。
【図６】第２の実施形態に係る電源タップと携帯型電子媒体の関係を概略的に示すブロック図である。
【図７】第２の実施形態に係る携帯電話サービスシステムの作用を示すフローチャートである。
【図８】第３の実施形態に係る携帯電話サービスシステムを概略的に示すブロック図である。
【図９】第３の実施形態に係る携帯電話サービスシステムの作用を示すフローチャートである。
【図１０】第４の実施形態に係る携帯電話サービスシステムを概略的に示すブロック図である。
【符号の説明】
【００５３】
１：電源タップ、２携帯型電子媒体（携帯電話）、３：ネットワーク、３ａ：ＰＬＣ親機、
１０：プラグ差込部、１１：データ通信用インタフェース、１２：中央処理部、１３：スイッチ手段、１４：タイマー、１５：ランプ、１６：スピーカ、１７：メモリ、１８：通信部、１９：ＰＬＣ子機、
２０：ＩＣチップ、２１：アンテナ部、２２：音声部、２３：入力部、２４：表示部、２５電源部：、２６：制御部、２７：記憶部、
３０：電子マネーサービス提供事業者、３１：サーバ、３２：アプリケーション起動プログラム、３３：付加サービス情報、３４：店舗、３５：端末サーバ、３６：店舗情報、３７：企業、３８：サーバ、３９：広告情報、
１００：外部電源、１１１：リーダライタ部、１１２：受信回路、１１３：送信回路、１１４：搬送波生成部、１１５：電力増幅部
【図１】
2008158937.tif 000003
【図２】
2008158937.tif 000004
【図３】
2008158937.tif 000005
【図４】
2008158937.tif 000006
【図５】
2008158937.tif 000007
【図６】
2008158937.tif 000008
【図７】
2008158937.tif 000009
【図８】
2008158937.tif 000010
【図９】
2008158937.tif 000011
【図１０】
2008158937.tif 000012